(57)【特許請求の範囲】
【請求項１】
導電性を有する可撓性のシートと、導電性を有する筐体に該シートを電気的に接続固定するために導通性を有して閉塞されずに一辺が開放された形状の接続部材と、を有し、
前記シートは、前記筐体から取り出されるケーブルの配線状態の形状に合わせて、前記筐体の外側でケーブル周囲を包み覆うことが可能であり、
前記筐体は前記ケーブルを取り出す開口穴を有し、前記接続部材は前記筐体の開口穴周囲の一部を開放して取り付けられており、
前記接続部材のみで、前記開口穴の周囲に前記シートを取り付けてなるシールド構造体。
【請求項２】
請求項１記載のシールド構造体において、前記シートは、囲繞せずに前記筐体に取り付けられた両終端から、前記ケーブル全体を十分包み覆うことが可能な大きさを有して膜状に広がった形状を有し、その膜状部を前記ケーブルを覆い巻いてバンドにて縛着してなるシールド構造体。
【発明の詳細な説明】
【０００１】
【発明の属する技術分野】
本発明はシールド構造体に係わり、特に電子機器が内蔵された筐体から、この電子機器と外部接続するためにケーブルを取り出す電子機器装置のシールド構造体に関する。
【０００２】
【従来の技術】
電子機器間での情報伝達を行う手段として、各々の電子機器を結ぶネットワークケーブルが接続される。電子機器稼動の際、ネットワークケーブルからはＥＭＩ規格範囲を超える電磁波が発せられる場合がある。
【０００３】
【発明が解決しようとする課題】
このような電磁波はＥＭＩ(Electro-Magnetic Interference)規格内に抑えることが求められる。特に、大量のネットワークケーブルを有するコンピュータ機器においてはその要請が大きい。
【０００４】
本発明の目的は、上記課題を解決するＥＭＩ対策のための構造を提供することにある。
【０００５】
【課題を解決するための手段】
本発明のシールド構造体は、導電性を有する可撓性のシートと、導電性を有する筐体に該シートを電気的に接続固定するために導通性を有して閉塞されずに一辺が開放された形状の接続部材と、を有し、
前記シートは、前記筐体から取り出されるケーブルの配線状態の形状に合わせて、前記筐体の外側でケーブル周囲を包み覆うことが可能であり、
前記筐体は前記ケーブルを取り出す開口穴を有し、前記接続部材は前記筐体の開口穴周囲の一部を開放して取り付けられており、
前記接続部材のみで、前記開口穴の周囲に前記シートを取り付けてなることを特徴とする。
【０００６】
本発明においては、シールド材として、導電性を有する可撓性（変形が自在）のシート、例えば導電布や絶縁シートに金属等の導電物を蒸着等で被膜したもの、を用い、このシートを導通性を有する金属プレート等の接続部材を介して、導電性を有する筐体に固定するものである。シートは筐体から取り出されるケーブルの周囲を覆ってシールドが行われる。このシートはバンドでケーブルに締め付けられるように構成されることが望ましい。
【０００７】
このように、筐体に接続部材、接続部材に導電性を有するシート（以下、導電シートという。）を取り付け、電子機器間での情報伝達手段として機器同士を結ぶネットワークケーブル等のケーブルに、導電シートを覆い巻き付け、より好適にはバンドで固定する。この構成により、筐体−接続部材−導電シート間で導通性が確保され、ケーブルから発せられる有害電波は、導電シート−接続部材を介して筐体に分散されて、良好なＥＭＩ効果が得られる。
【０００８】
【発明の実施の形態】
以下、本発明の実施形態について図面を用いて詳細に説明する。
【０００９】
図１は本発明のシールド構造体の構成を示す斜視図である。
【００１０】
図１において、導電シート２は、導電性を有する可撓性（変形が自在）のシート、例えば導電布や絶縁シートに金属等の導電材料を蒸着等で被膜したものであり、ネジ止めなどにより、金属プレート等の導電性を有するプレート１と固定されるように、導電シート２の端部とプレート１に取付穴１ｂが施されている。プレート１は金属プレートでなくてもよいが、導電性を有し、取付性がよいようにある程度変形がしにくい材質を選択することが望ましい。
【００１１】
プレート１は、ネットワークケーブル（以下、ＮＷケーブルという。）を凹部分（「コ」の字状の内側）に収容させることが可能で、上面にはネジ止めなどにより筐体フレームと固定すべく取付穴１ｃが施されている。下面側には、凹部周囲に鉤状のブラケットを有している。ブラケットの外面には、導電シート２をネジ止めなどで固定される構造を有し、内側はＮＷケーブル破損対策として曲げ１ａを盛り込んだ構造である。
【００１２】
バンド３は、導電シート２をＮＷケーブルに覆い巻き付けた状態を維持するために使用する。
【００１３】
図２では、多数のＮＷケーブル４が接続、配線されているコンピュータ機器５に、導電シート２がプレート１に装着されたシート取付品を装着しようとしている状態を示す。シート取付品は、プレート１の「コ」の字状部に沿って筐体の筐体開口穴６の周囲に取り付けられ、導電シート２はＮＷケーブル４を囲いながらコンピュータ機器５の筐体に装着される。コンピュータ機器５の筐体に設けられたＮＷケーブル通過穴（開口穴６）の大きさに対し、導電シートが装着されているプレート１の曲げ部１ａの外形は小さい一方、プレート１の取付穴１ｃを有する部分の外形は筐体への通過穴（開口穴６）よりも大きくし、プレート１の取付穴１ｃでネジ止め等により、筐体にシート取付品が装着される。プレート１は「コ」の字状となっており、これに取り付けた導電シート２も「コ」の字状に曲がるので、ＮＷケーブル４をコンピュータ機器５の筐体内に配線した後でも、導電シート２でケーブルを包みこむようにシート取付品を筐体に取り付けることができる。そして、プレート１を筐体に取り付けたときに、導電シート２は筐体の開口穴６にそって湾曲しケーブルの周囲全体を覆う。
【００１４】
図３では、シート取付品を筐体に装着後、ＮＷケーブルに導電シートを巻きつけ、バンドにて保持している状態を示している。
【００１５】
図３に示すように、ＮＷケーブル４より発せられる電磁波は、導電シート２−プレート１を介してコンピュータ機器５の筐体に分散されて、良好なＥＭＩ効果を得ることができる。
【００１６】
【発明の効果】
以上説明したように、本発明によれば、ケーブルから発せられる電磁波が、導電性を有するシートと導電性を有する接続部材を介して筐体に分散されることで良好なＥＭＩ効果を得ることができる。
【００１７】
既にケーブルを配線接続されたコンピュータ機器等の電子機器に対し、本発明によるシールド構造体を筐体に設けられたケーブルの開口に合わせることにより、ケーブルに対するＥＭＩ対策が実現施可能となる。
【図面の簡単な説明】
【図１】本発明のシールド構造体の構成を示す斜視図である。
【図２】コンピュータ機器にシート取付品を装着しようとしている状態を示す図である。
【図３】シート取付品をコンピュータ機器の筐体に装着後、ケーブルに導電シートを巻きつけ、バンドにて保持している状態を示す図である。
【符号の説明】
１  プレート
１ａ  曲げ
１ｂ  取付穴
１ｃ  取付穴
２  導電シート
３  バンド
４  ＮＷケーブル
５  コンピュータ機器
６  筐体開口穴
【図１】
0004019356.tif 000002
【図２】
0004019356.tif 000003
【図３】
0004019356.tif 000004